(57)【要約】  本発明は、粉末粒子および／または顆粒、または同様な自由流動性固体を少なくとも１つの液体と混合するための混合装置（１）に関する。混合装置は、固体用の供給ダクト（５）と、液体用の入口（１７）と、混合チャンバ（７）内の軸の周りを回転可能な少なくとも１つの混合器具（８）と、混合物用の出口とを備える。混合装置は、送達ポンプ（１４）が入口（１７）と混合器具（８）との間に配置されていることによって特徴付けられる。【選択図】図１
2018510054.tif 000002
【特許請求の範囲】
【請求項１】
粉末粒子および／または粒状粒子または同様な自由流動性固体を少なくとも１つの液体と混合する混合装置であって、
固体用の供給ダクト（５）と、
液体用の入口（１７）と、
混合チャンバ（７）内の軸の周りを回転可能な少なくとも１つの混合器具（８）と、
混合物用の出口（６）と、を備え、
送達ポンプ（１４）が前記入口（１７）と前記混合器具（８）との間に配置されていることを特徴とする混合装置（１）。
【請求項２】
前記出口（６）および／または前記入口（１７）は水平方向または横方向に配置され、および／または、前記供給ダクト（５）は垂直方向および特に中央に配置されることを特徴とする請求項１に記載の混合装置（１）。
【請求項３】
前記送達ポンプ（１４）は、前記固体の送達方向に対して前記入口（１７）の上方に配置されていることを特徴とする請求項１または２に記載の混合装置（１）。
【請求項４】
前記供給ダクト（５）は、前記混合器具（８）の回転軸に対して偏心して配置されていることを特徴とする請求項１〜３のいずれかに記載の混合装置（１）。
【請求項５】
前記供給ダクト（５）はシールまたはプラグまたは圧力ピストン（２６）によって閉鎖可能であり、ここで、前記シールまたは前記プラグまたは前記圧力ピストン（２６）は、前記供給ダクト（５）内で固体の供給方向に沿って移動可能であり、前記供給ダクト（５）の壁と同一面となっていることを特徴とする請求項１〜４のいずれかに記載の混合装置（１）。
【請求項６】
前記送達ポンプ（１４）と前記混合チャンバ（７）との間に更なる接続部（２２）が存在し、前記更なる接続部（２２）は、混合装置（１）のハウジング（２３）の外側のパイプまたはホース経路によって形成され、前記混合チャンバ（７）内への開口部（２４）を有することを特徴とする請求項１〜５のいずれかに記載の混合装置（１）。
【請求項７】
前記更なる接続部（２２）は、混合装置（１）の前記ハウジング（２３）の内側に配置されており、特に、前記更なる接続部（２２）は接続チャネルであり、前記ハウジング（２３）内で具現化されていることを特徴とする請求項６に記載の混合装置（１）。
【請求項８】
前記更なる接続部（２２）の前記開口部（２４）は、環状の隙間（２５）および／または少なくとも１つの穴および／または少なくとも１つのノズルによって形成されていることを特徴とする請求項６または７に記載の混合装置（１）。
【請求項９】
前記環状の隙間（２５）が、前記液体の送達方向に対して、特に前記供給ダクト（５）の周囲で前記混合チャンバ（７）の上方に配置されていることを特徴とする請求項８に記載の混合装置（１）。
【請求項１０】
前記送達ポンプ（１４）は、特に４個または８個の好ましくは湾曲した搬送ベーンである複数の搬送ベーン（１６）を有する送達ホイール（１５）を備える遠心力ポンプから形成されていることを特徴とする請求項１〜９のいずれかに記載の混合装置（１）。
【請求項１１】
前記送達ポンプ（１４）は、同心状に配置された１または複数のロータリムおよび／もしくはステータリム（２１）を備えるロータ・ステータ装置（１９、２０）から形成されていることを特徴とする請求項１〜９のいずれかに記載の混合装置（１）。
【請求項１２】
前記複数の搬送ベーン（１６）または、前記ロータリムおよび／もしくはステータリム（２１）は、前記送達ポンプ（１４）の前記混合器具（８）とは反対の側に配置されていることを特徴とする請求項４または５に記載の混合装置（１）。
【請求項１３】
前記送達ポンプ（１４）は、前記混合器具（８）と同じ駆動軸（１２）上に配置されていることを特徴とする請求項１〜１２のいずれかに記載の混合装置（１）。
【請求項１４】
前記出口（６）は、出口経路を通って液体用容器に戻り、前記液体用容器は供給経路を介して前記入口（１７）に接続されていることを特徴とする請求項１〜１３のいずれかに記載の混合装置（１）。
【請求項１５】
前記混合装置は、前記混合器具（８）を備える混合モジュール（２）と、前記送達ポンプ（１４）を備える送達モジュール（３）と、前記入口（１７）を備える入口モジュール（４）から構成されたモジュール方式で具現化されており、前記送達モジュールは、前記混合モジュールと前記入口モジュールとの間に配置可能であり、前記入口モジュールは、前記混合モジュールに直接的に配置可能であることを特徴とする請求項１〜１４のいずれかに記載の混合装置（１）。
【発明の詳細な説明】
【技術分野】
【０００１】
本発明は、内蔵型送達ポンプを有する混合装置に関し、特に、粉末粒子および／または粒状粒子または同様な自由流動性固体を少なくとも１つの液体と混合する混合装置であって、固体用の供給ダクトと、液体用の入口と、混合チャンバ内の軸の周りを回転可能な少なくとも１つの混合器具と、混合物用の出口とを備える混合装置に関する。
【背景技術】
【０００２】
そのような混合装置は、ドイツ特許公開公報第１９６２９９４５号から知られており、粉末、顆粒およびバルク製品のような固体を液体受容器に組み込む目的を果たす。固体および液体は別々に供給される。運転中、混合器具を回転させることにより高度な乱流領域が形成される。それにより低圧が生成されて、固体および液体が混合チャンバに吸い込まれる。
【０００３】
高粘度の液体の場合、所望の液体処理量を実現するためには、吸引効果が不十分であるという危険性がある。
【０００４】
高粘度の場合には、液体処理量および従って固体に対する吸引効果は供給ダクト内で低減する。液体の粘度が増加するにつれて、装置は固体を吸収する能力を失う。同じことが混合物にも当てはまり、その混合工程の過程において混合物の粘度が増加する。この問題は、例えば、吸引効果を強めて液体処理量を維持する容積式ポンプのような外部ポンプを接続することによって低減できる。しかしながら、この解決策は構造物が大規模になる。
【発明の概要】
【発明が解決しようとする課題】
【０００５】
従って本発明の目的は、前述のタイプの装置を、簡単でコンパクトな方法で組み立てることができて高粘度の液体または可変粘度の混合物を処理することに適している装置として提供することである。
【課題を解決するための手段】
【０００６】
この目的は請求項１に記載された発明によって解決することができる。好ましい実施形態は、従属請求項および以下の説明に明記される。
【０００７】
本発明によれば、粉末粒子および／または粒状粒子または同様な自由流動性固体を少なくとも１つの液体と混合する混合装置が作製される。この混合装置は、固体用の供給ダクトと、液体用の入口と、混合チャンバ内の軸の周りを回転可能な少なくとも１つの混合器具と、混合物用の出口と、入口と混合器具との間に配置された送達ポンプとを備える。
【０００８】
本発明は、たとえ高粘度または粘度の増加する液体が処理される場合でも、内蔵型送達ポンプによって一様で安定した液体処理量を達成することができるという知見に基づいている。これは、装置が戻されるものを有する場合、すなわち、混合物が液体容器内に戻され、再び新たな処理に供給される場合に特に有利である。
【０００９】
液体処理量は、例えば、固体用の供給ダクトに固体の供給のために装備されているバルブを開くことにより固体の供給がなされる場合にも特に安定して維持される。対照的に一般的な混合装置の場合には吸引効果の「消失」、およびこれに伴う液体および／または固体の供給の破綻が、少なくとも一時的に生じ得る。
【００１０】
本発明は、入口と混合器具との間に配置された、従って固体の送達方向に対して混合器具の上流に、かつ、入口からは下流に配置された送達ポンプを提供する。従って吸引効果は、混合チャンバ内への固体の供給を妨げることなく、またはこれを回避するために構造上の対策を講じる必要もなく、改善される。
【００１１】
一実施形態においては、出口および／または入口は水平方向または横方向に配置され、および／または、供給ダクトは垂直方向および特に中央に配置される。出口は入口の上方に配置される。ポンプはこれにより、液体の供給方向において、入口から下流に、かつ、出口の上流に配置される。供給ダクトの横断面の幾何学的中心は、混合器具の回転軸に一致している。
【００１２】
本発明の一実施形態においては、供給ダクトは混合器具の回転軸に対して垂直方向におよび偏心して配置される。供給される固体は、混合器具の中心の外側で混合器具と接触して入ってくる。混合工程は、従って、より高い円周方向速度を有する領域内の混合器具上で、および／または混合器具で行われる。混合物は、混合器具のこの領域内でより高い乱流を受ける。
【００１３】
本発明の一実施形態においては、供給ダクトはシールまたはプラグまたは圧力ピストンによって閉鎖可能であり、ここで、シールまたはプラグまたは圧力ピストンは、供給ダクト内で固体の供給方向に沿って移動可能であり、供給ダクトの壁と同一面となっている。一定量の液体と一定量の固体とを混合することが、特に、空気または固体または液体の所望しない質量の流量を追加することなく可能である。この実施形態は、供給ダクトの壁が清浄に維持されて追加的な洗浄を行う必要がない、という利点を有する。廃棄物も避けられる。シールはまた、簡単なシールとして実現できる。
【００１４】
本発明の一実施形態においては、更なる接続部が送達ポンプと混合チャンバとの間に存在する。そこで更なる接続部はパイプ、または混合装置のハウジングの外側の経路によって形成されて、混合チャンバへの開口部を有する。更なる接続部は、送達側と混合チャンバとの間に液体用のバイパス経路を形成する。送達される液体の一部が開口部を介して混合チャンバ内に到達する。固体はこのように複数の側から液体に接触される。液体は従って、混合チャンバ内でより一様に分散する。固体の局所的な過剰集中や過少集中が低減される。
【００１５】
本発明の一実施形態においては、更なる接続部が混合装置のハウジングの内側に配置されている。更なる接続部は特に接続チャネルであり、ハウジング内で具現化されている。従って、外側に沿って通る更なる経路を捨てることができる。外側の経路での漏出および損傷のリスクを避けることができる。この実施形態はさらに、混合装置の設計を非常にコンパクトに保つことができるという利点を有する。
【００１６】
本発明の一実施形態においては、更なる接続部の開口部は、環状の隙間、および／または、少なくとも１つの穴、および／または、少なくとも１つのノズルによって形成されている。混合装置の配置または意図された用途にもよるが、異なるタイプの開口部を設けることができる。異なるタイプの濡れを必要とする異なる混合物をこのようにして処理することができる。環状の隙間としての開口部の特に好ましい実施形態においては、混合チャンバの中に液体を液体カーテンの形態で導入することができる。これは、固体と液体との間の移行領域内に供給される固体の濡れを改善する。改善された濡れによって固体の局所的な過剰集中が避けられる。不十分に濡れた固体の結合および／または接着による残渣の形成が阻止される。凝集の形成も避けられる。供給された固体の局所的な過熱もまた、追加的な液体の供給によって阻止される。これは、不十分な液体供給が固体の局所的な過剰集中を作り出す場合に、混合器具との摩擦のために高温がもたらされて起こりうる。混合チャンバは、さらに洗浄流体を用いてシンプルで効率的な方法で洗浄されることができる。従って、混合装置を洗浄するために開けることはもはや必要ではない（いわゆる「現場洗浄」特性）。
【００１７】
本発明の一実施形態においては、環状の隙間が、特に供給ダクトの周りに、液体の送達方向に対して上方に配置されている。混合チャンバの「天井における」環状の隙間の配置は、供給される液体が、重力の助けを得て混合チャンバ内に入って行って液体カーテンを形成するという利点を有する。液体の湿った表面が増加し、これにより、固体はより迅速に湿らされる。これは分散の改善に寄与する。供給ダクトの周りの環状の隙間の配置が、均一な液体の分配を確保する。供給される固体は均一に濡らされる。これにより、局所的な液体不足の結果としての凝集を防ぐ。
【００１８】
一実施形態においては、送達ポンプは、複数の搬送ベーンを有する送達ホイールを備える遠心力ポンプによって形成されている。複数の搬送ベーンは、特に４個または８個の好ましくは屈曲した搬送ベーンである。このような送達ポンプは構造的に簡単な方法で実現できるので、既存の構造を比較的容易にアップグレードすることができる。
【００１９】
別の実施形態においては、送達ポンプは、同心状に配置された１または複数のロータリムおよび／またはステータリムを備えるロータ・ステータ装置によって形成されている。混合物中に生じ得る塊は、この実施形態によって粉砕されて混合物の更なる微粉砕が達成される。これは、特に混合を再循環する場合、すなわち混合工程に再び供給する場合に特に顕著である。
【００２０】
一実施形態においては、搬送ベーンまたは、ロータリムおよび／もしくはステータリムは、混合器具から離れて対向する送達ポンプの側に配置される。このような配置は、格別に良好な吸引効果を有する。
【００２１】
一実施形態においては、送達ポンプは、混合器具と同じ駆動軸上に配置される。単一の駆動モータが混合器具および送達ポンプ用に必要とされるのみである。
【００２２】
一実施形態においては、出口は、出口経路を通って液体用容器に戻り、液体用容器は供給経路を介して入口に接続されている。これにより、容器からの開始材料が段階的に固体と混合されて、対応する程度の均一性および／または粘度を有する所望の総合混合物が作り出されるまで繰り返される戻し処理が可能となる。
【００２３】
好ましい実施形態においては、混合装置は、混合器具を有する混合モジュールと、送達ポンプを有する送達モジュールと、入口を有する入口モジュールとを備えるモジュール方式で具現化される。ここで、送達モジュールは、混合モジュールと入口モジュールとの間に配置可能であり、入口モジュールは、混合モジュールに直接的に配置可能である。この実施形態によれば、個別のモジュールを提供すること、およびそれらを互いに組み合わせること、またはそれらを除くことが可能である。送達ポンプは、例えば、低粘度の液体の処理用には必要ではない。この場合には、送達モジュールを除去することもでき、混合モジュールを入口モジュールに直接的に接続することもできる。もし、高粘度の液体が混合装置で処理される場合には、送達モジュールを（後で）付け加えることもできる。
【００２４】
本発明の例示的な実施形態が、部分的に体系化された図面を用いて以下により詳細に説明される。
【図面の簡単な説明】
【００２５】
【図１】本発明の一実施形態による混合装置の断面図である。
【図２】送達モジュールのない図１の混合装置の断面図である。
【図３】図１の混合装置の送達ホイールの斜視図である。
【図４】図３の送達ホイールの上面図である。
【図５】本発明の更なる実施形態による混合装置の断面図である。
【図６】バイパス経路を備える本発明の更なる実施形態による混合装置の断面図である。
【図７】偏心した供給ダクトを備える本発明の一実施形態による混合装置の断面図である。
【図８】内部バイパス経路を備える本発明の更なる実施形態による混合装置の断面図である。
【図９】本発明の更なる実施形態による混合装置の断面図である。
【発明を実施するための形態】
【００２６】
図１は、本発明の一実施形態による混合装置１を示す。混合装置は、モジュール式構造であり、混合モジュール２、送達モジュール３、および入口モジュール４を備える。モジュール２、３、および４は、互いに接続されているが、互いに取り外すこともでき、異なる方法で互いに接続することもできる。図２は、混合装置に送達モジュール３が装備されていない別の例を示し、混合モジュール２が入口モジュール４に直接的に接続されている。
【００２７】
混合モジュール２は、混合物用の水平な横方向出口６はもちろん、固体を供給するための垂直な中心供給ダクト５を有する。供給ダクト５および出口６は混合チャンバ７に通じており、混合チャンバ内にはロータリム１１およびステータリムを備えるロータ・ステータ装置９、１０によって形成された混合器具８が配置されている。ロータ９は、モータ１３によって駆動される回転駆動軸１２に接続されている。
【００２８】
混合モジュール２に接続された送達モジュール３には、遠心力ポンプとして具現化された送達ポンプ１４が装備されており、送達ポンプは送達ホイール１５および送達ホイール１５上に配置された複数の搬送ベーン１６を備える。搬送ベーン１６は、送達ホイール１５の混合モジュール２とは反対の側に配置されている。ロータはもちろん送達ホイール１５も駆動軸１２に接続されており、駆動軸１２の回転によって回転される。
【００２９】
入口モジュール４は送達モジュール３の端部に接続されており、図の下部に図示されている。入口モジュール４は液体用の水平な横方向入口１７を備える。
【００３０】
入口１７は、図示していない液体容器に接続されている。出口６もまた液体容器に接続可能である。その結果、閉回路が形成されて、混合物を液体容器の中に戻すように送達できて、再度混合工程へ供給することができる。
【００３１】
運転の際には、すなわち、ロータ９および送達ホイール１５の回転に応えて、固体が供給ダクト５を通って混合チャンバ７の中に吸引される。ロータ９によって加速された粒子のために、混合チャンバ７内で負圧が生じ、これにより、粉末または顆粒が供給ダクト５を通して吸引されるという効果が生じる。ロータ９は、固体が最初は液体から分離されて送達され、高い乱流を有するあらかじめ定められた領域でのみ液体に遭遇するような方法で配置され、具現化されている。従って、固体はロータ９内で加速されて、ロータ９の端部領域に向かって体積が増加するので、液体中に分散する前に微細に分布する。微細に分布した固体粒子は、その後、かなり大きな表面を有する液体ジャケットに遭遇し、その結果、凝集物のない状態で液体中に分散する。
【００３２】
送達ポンプ１４は追加的な吸引効果を作り出し、その結果、液体が高粘度でも液体の粘度が混合工程の際に増加しても、十分な液体および固体が混合チャンバ７に到達することを保証する。
【００３３】
図３および４は、図１に示す本発明の実施形態による送達ホイール１５を示す。送達ホイール１５は８個の搬送ベーン１６を備え、搬送ベーンの各々は、ハブ１８の方向で送達ホイールの外側端部に放射状に湾曲を有して延びており、搬送ベーン１６の放射状の内側端部はハブ１８から離間している。
【００３４】
図５は、本発明の更なる実施形態による混合装置１を示す。図５に示す実施形態は、ロータ１９およびステータ２０を有するロータ／ステータ装置によって送達ポンプ１４が形成されている点で図１に示す実施形態とは異なる。ロータ１９は、少なくとも１つのロータリム２１を備える。この実施形態によって、特別に微細な分散が達成される。これはとりわけ混合物を再循環させる場合、すなわち、混合工程に再度供給される場合である。
【００３５】
図６は、送達モジュール３と混合チャンバ７との間に更なる接続部２２を備える本発明の実施形態を示す。更なる接続部は、送達モジュール３の水平方向外側から混合モジュール２の外側へ、ハウジング２３の外側上を延びる。更なる接続部２２は、送達ポンプ１４によって送達される液体用のバイパス経路を形成する。用語、更なる接続部、および、バイパス経路は、これ以降、同意語として使用する。送達される液体の一部は、送達モジュール３と更なる接続部２２を介した混合モジュール２との間の送達ポンプ１４の軸に沿って送達ダクトをバイパスすることができて、混合モジュール２の中に直接的に戻ることができる。更なる接続部２２は、ホースまたはパイプ経路によって形成される。更なる接続部２２は、混合チャンバ７の中に導く開口部２４を有している。開口部２４は、混合器具８の反対側−すなわち、混合チャンバ７の上側の図示された位置に位置しているので、液体は、重力の助けを得て混合チャンバ７内に流れることができる。開口部２４は、環状の隙間２５によって形成されている。環状の隙間２５は、供給ダクト５を同心円状に囲んでいる。この実施形態においては、供給ダクト５は混合器具８の軸に並んでいる。
【００３６】
図７は、偏心した供給ダクト５および外部バイパス経路２２を備える本発明の一実施形態を示す。供給ダクト５は、混合器具８の軸線に対して変位するように配置されている。バイパス経路２２の開口部２４は、環状の隙間２５として具現化されているが、環状の隙間２５はまた、供給ダクト５の周りを同心円状に通るように、混合装置１のハウジング２３の内側で拡張されている。
【００３７】
図８は、本発明の一実施形態を示す。ここでは、バイパス経路を形成する更なる接続部２２が、混合装置１のハウジング２３の内側を、送達モジュール３から混合モジュール２に、図示された方向に上昇する液体の送達方向に沿って通る。開口部２４は、また、混合装置１のハウジング２３の内側に完全に位置している。バイパス経路２２は、混合装置１のハウジング２３の中に完全に一体化されており、ハウジング２３によって完全に取り囲まれているチャネルを形成する。
【００３８】
図９は、偏心した供給ダクト５を備える一実施形態を示す。供給ダクト５は、ピストン２６によって閉鎖されている。ピストン２６は、供給ダクト５内における固体の供給方向に沿って変位できるように配置されている。ピストン２６は、供給ダクト５の壁と同一面となっており、ハウジング２３と混合チャンバ７との間に閉じた空洞を形成する。ピストン２６の類似の一体化手段として、混合チャンバ７のシールが耐圧方式で具現化されている。供給される固体は、供給ダクト５に沿ってピストン２６を動かすことによって混合チャンバ７内に導き入れられる。
【符号の説明】
【００３９】
１    混合装置
２    混合モジュール
３    送達モジュール
４    入口モジュール
５    供給ダクト
６    出口
７    混合チャンバ
８    混合器具
９    ロータ
１０  ステータ
１１  ロータリム
１２  駆動軸
１３  モータ
１４  送達ポンプ
１５  送達ホイール
１６  搬送ベーン
１７  入口
１８  ハブ
１９  ロータ
２０  ステータ
２１  ロータリム
２２  更なる接続部（バイパス経路）
２３  混合装置のハウジング
２４  開口部
２５  環状の隙間
２６  ピストン
【図１】
2018510054.tif 000003
【図２】
2018510054.tif 000004
【図３】
2018510054.tif 000005
【図４】
2018510054.tif 000006
【図５】
2018510054.tif 000007
【図６】
2018510054.tif 000008
【図７】
2018510054.tif 000009
【図８】
2018510054.tif 000010
【図９】
2018510054.tif 000011
【国際調査報告】
2018510054.tif 000012
2018510054.tif 000013
2018510054.tif 000014
2018510054.tif 000015
2018510054.tif 000016
2018510054.tif 000017